(57)【要約】      （修正有）【課題】トルク伝達せず、巻取コアの把持機能のみを有する把持装置Ａと摩擦滑りによる回転駆動力でコアを把持する把持装置Ｂを交互に巻取軸に配置するようにし、把持装置Ｂが巻取コアに伝達する最低トルクも小さくでき、巻始めから低張力で巻取ることが可能となる。【解決手段】コア把持用のチャック部材と、それを軸体に連結するトルク伝達用部材を一つの把持ユニット０５として形成し、複数個の把持ユニットを軸体０１に装着した装置において、静止状態でコアを把持し、トルク伝達機能を持たない把持装置０５と回転駆動力によりコアを把持する把持装置を交互に並べて軸に装着し、把持装置１５はベアリング１６を介して軸に装着し、摩擦力により軸から駆動力をコアに伝達すると共に隣り合う把持装置と連結、非連結を選択できるようにする。【選択図】図１
2014080265.tif 000002
【特許請求の範囲】
【請求項１】
コア把持用のチャック部材と、前記チャック部材を軸体に連結するトルク伝達用部材を一つの把持ユニットとして形成し、複数個の把持ユニットを軸体に装着した装置において、静止状態でコアを把持し、トルク伝達機能を持たない把持装置Ａと回転駆動力によりコアを把持する把持装置Ｂを交互に並べて軸に装着し、把持装置Ｂはベアリングを介して軸に装着し、摩擦力により軸から駆動力をコアに伝達すると共に隣り合う把持装置Ａと連結、非連結を選択できるようにした巻軸装置。
【請求項２】
把持装置Ａにトルク伝達機能を設けた請求項１の巻軸装置。
【発明の詳細な説明】
【技術分野】
【０００１】
本発明は、フィルム等の連続シートを所定の幅で複数条に切断して巻取る装置において、1本の巻取軸で複数条の製品を巻取り、各条が均一な巻取張力で巻取ることができる巻軸装置で、巻取コアの把持用チャック部材と、前記チャック部材を軸体に連結するクラッチ部材を一つの把持ユニットとして形成し、複数個の把持ユニットを軸体に装着した巻取軸に関する。
【背景技術】
【０００２】
例えば、特許文献１には１つのエアー圧でコアチャック動作とトルク伝達動作を行うものがある。
【０００３】
【特許文献１】特公平７−２５４６
【発明の概要】
【発明が解決しようとする課題】
【０００４】
しかしながら、特許文献１のような巻軸装置の場合、チャック動作部材を戻すためのバネの力に抗してチャック動作させるため、ある一定のエアー圧以上をかけないと、チャック動作ができない。そして、チャック部材が巻取コアに回転トルクを伝達する機能も持っているため、チャック力が弱いと巻取コアとコアチャック部材の間でスリップしてコアがずれたり巻取張力が弱くなったりして問題が生じる。そのため、エアー圧を下げることができず、特に巻始めの巻取張力を小さくできないという問題があった。
【０００５】
そのため、フィルムの厚みに応じて、トルク伝達用のピストンの数を変えるなどの対応が必要であり、段取り変えをするか、適用するフィルムの品種を限定するなどの処置が必要であった。
【０００６】
又、コアチャック部材の全面に巻取コアがかからず、中途半端にかかった場合でもチャック力と伝達トルクは同様に働くため、コアチャック部材に局所的な力がかかり、コアチャック部材が破損しやすいという問題があった。
【課題を解決するための手段】
【０００７】
上記課題を解決する本発明に係る巻軸装置は、トルク伝達せず、巻取コアの把持機能のみを有する把持装置Ａと摩擦滑りによる回転駆動力でコアを把持する把持装置Ｂを交互に巻取軸に配置するようにする。
【発明の効果】
【０００８】
本発明によれば、把持装置Ａはトルク伝達しないため、把持力が弱くてもよい。即ち、製品の重量によりコアチャック部材が戻らない程度の弱い把持力で良い。そのため、最低作動エアー圧を低くしても問題がない。従って、把持装置Ｂが巻取コアに伝達する最低トルクも小さくできる。その結果、巻始めから低張力で巻取ることが可能となる。
【０００９】
又、把持装置Ａの把持力を小さくできるので、コアチャック部材に巻取コアが中途半端にかかった場合でも、コアチャック部材に局所的な大きな力はかからないので、コアチャック部材が破損しにくく、寿命が長くなる。
【図面の簡単な説明】
【００１０】
【図１】本発明の巻軸装置の１実施例を示す概略断面図
【図２】把持装置Ｂの断面図（リング収縮状態）
【図３】把持装置Ｂの断面図（リング拡張状態）
【図４】従来技術の巻軸装置の概略断面図
【発明を実施するための形態】
【００１１】
以下、本発明の好ましい実施形態について、図面を参照しながら説明する。
図１で把持装置Ａ０５は軸体０１にナット０２により固定されており、第１ベアリング１０及び第２ベアリング１２の内輪側に接する部材は軸体０１と同一回転数で回転する。圧空流路０１ａはコアチャック動作用シリンダー１９とつながっており、コアチャック動作用シリンダー１９にエアー圧が供給される。
【００１２】
エアー圧によりコアチャック動作用ピストン０９が突出すると第２ベアリング１２を介してテーパーリング０７がスライドし、テーパーの作用によりコアチャック部材０６が半径方向外側に拡張し、コアをチャックする。コアをチャックするためにはテーパーリング０７がテーパーリング戻しバネ０８の力とその他摩擦力に抗して動く。
【００１３】
把持装置Ｂ１５はベアリング１６を介して軸０１に係合される。トルク伝達部材１３はトルク伝達用シリンダー２０に供給されるエアー圧によりカムリング１７に押し付けられる。軸０１はフィルム巻取速度に対して速い速度で回転するため、摩擦力がカムリング１７に伝達され、カムリング１７が回転する。リテナー１８は把持装置Ａ０５と連結ネジ１４により係合されるため、リテナー１８は把持装置Ａ０５に対して静止状態を保つ。そのため、カムリング１７はリテナー１８に対して相対回転するため、コロ２１がカム面に沿って半径方向外側に移動し、リング２２を拡張させる。リング２２がコアを把持するとカムリング１７の回転が止まり、把持動作が完了する。連結ネジ１４は左右の把持装置Ａ０５と選択的に連結できるので、コア端面の位置に応じて、把持装置Ａ０５との連結を左右切り替えたり、連結しない選択をすることができる。
【産業上の利用可能性】
【００１４】
スリットされる連続シートは単層シートから多層積層シートまであり、それぞれが材質、厚み、粘着材等複数の条件の組み合わせとなる。そのため、実に多くの種類のシートが巻取られることになる。そのため巻取品質を向上させるためには、巻取条件を最適化させる必要があり、従来よりも低張力から高張力まで広い範囲の巻取張力条件で巻取る必要が生じている。特に巻始めの低張力での巻取りは重要であり、本発明はそのような要求に応えることができる。
【符号の説明】
【００１５】
０１    軸体
０１ａ  圧空流路
０２    ナット
０３    座金
０４    スペーサー
０５    把持ユニット
０６    コアチャック部材（ラグ）
０７    テーパーリング
０８    テーパーリング戻しバネ
０９    コアチャック動作用ピストン
１０    第１ベアリング
１１    カバー
１２    第２ベアリング
１３    トルク伝達部材
１４    連結ネジ
１５    把持装置Ｂ
１６    ベアリング
１７    カムリング
１８    リテナー
１９    コアチャック動作用シリンダー
２０    トルク伝達用シリンダー
２１    コロ
２２    リング
【図１】
2014080265.tif 000003
【図２】
2014080265.tif 000004
【図３】
2014080265.tif 000005
【図４】
2014080265.tif 000006